(57)【特許請求の範囲】
【請求項１】
編物のパターンデータを編目単位のデータへ変換するニットデザイン装置において、
編物の各パーツの出来上がりサイズの入力を受け付け、ベクトルデータとして入力されたサイズを表す各パーツの第１のパターンデータを生成するための第１パターンデータ生成手段と、
各パーツの第１のパターンデータを、ベクトルデータとして編目数に比例したサイズを表す第２のパターンデータに変換するための第２パターンデータ生成手段と、
各パーツの第２のパターンデータを編目数に変換すると共に、パーツの側端部に成型ラインを発生させることにより、各パーツを編目単位で表すラスターデータを生成するためのラスターデータ生成手段、とを設けたことを特徴とする、ニットデザイン装置。
【請求項２】
前記ラスターデータを編物の編成データに変換するための変換手段、をさらに設けたことを特徴とする、請求項１のニットデザイン装置。
【請求項３】
モニターに前記ラスターデータと前記第２のパターンデータとを重ねて表示した状態で、前記ラスターデータの編集を受け付けることにより、前記成型ラインを変更するための編集手段をさらに設けたことを特徴とする、請求項１のニットデザイン装置。
【請求項４】
前記ラスターデータを前記第２のパターンデータへ逆変換するための逆変換手段をさらに設けたことを特徴とする、請求項１〜３のいずれかのニットデザイン装置。
【請求項５】
ニットデザイン装置を用いて、編物のパターンデータを編目単位のデータへ変換する方法において、
前記ニットデザイン装置により、編物の各パーツの出来上がりサイズの入力を受け付け、ベクトルデータとして入力されたサイズを表す各パーツの第１のパターンデータを生成するためのステップと、
前記ニットデザイン装置により、各パーツの第１のパターンデータをベクトルデータとして編目数に比例したサイズを表す第２のパターンデータに変換するためのステップと、
前記ニットデザイン装置により、各パーツの第２のパターンデータを編目数に変換すると共に、パーツの側端部に成型ラインを発生させることにより、各パーツを編目単位で表すラスターデータを生成するためのステップ、とを設けたことを特徴とする、ニットデザイン方法。
【請求項６】
ニットデザイン装置を用いて、編物のパターンデータを編目単位のデータへ変換するプログラムにおいて、
ニットデザイン装置に、
編物の各パーツの出来上がりサイズの入力を受け付け、ベクトルデータとして入力されたサイズを表す各パーツの第１のパターンデータを生成するためのステップと、
各パーツの第１のパターンデータをベクトルデータとして編目数に比例したサイズを表す第２のパターンデータに変換するためのステップと、
各パーツの第２のパターンデータを編目数に変換すると共に、パーツの側端部に成型ラインを発生させることにより、各パーツを編目単位で表すラスターデータを生成するためのステップ、とを実行させることを特徴とする、ニットデザインプログラム。
【発明の詳細な説明】
【技術分野】
【０００１】
この発明はニットデザインに関し、特にパターンデータ（型紙データ）から編成データ等への変換に関する。
【背景技術】
【０００２】
特許文献１は、編物のパターンデータを基に編物の外形データ（組織のデータ）を発生させ、その内部にインターシャあるいはジャカード等のデザインデータを入力することを開示している。パターンデータはベクトルデータであり、その単位は長さで、編物のパーツ毎のデータである。ところでパターンデータを編目の数に変換するためには、編目の縦横のサイズの他に、仕上げ加工での伸縮率、自重等による編物の変形の程度等のデータが必要である。この点に関して特許文献２は、仕上げ後の編目の縦横のサイズを測定し、これに基づいてパターンデータを編目の数に変換することを開示している。しかし特許文献２の手法を用いても、パターンデータを編目の数に変換するには相当の熟練が必要である。例えば編物は自重等により変形し、例えばネックホールは袖の重みで横に拡げられ易く、袖などの細い編地は伸びやすい、などの特性がある。【０００３】
パターンデータを編目の数に変換すると、次のステップとして、増やし及び減らしを実現するための成型ラインを形成する必要がある。ここでは、増やし及び減らしに伴うファッションマークを規則正しくかつ美しく見えるように配置する必要があり、パーツのシルエットを整える必要もある。また成型ラインは、横編機で効率的に編成できるように、かつ糸への負担などを考慮して、編みやすく定める必要がある。従って成型ラインの作成には相当の熟練が必要である。これらのため、一般的にはデザイナーがパターンデータを作成し、ニット技術者が編目の数に変換する、との分業が行われている。
【先行技術文献】
【特許文献】
【０００４】
【特許文献１】特開平７−７０８９１
【特許文献２】特許２６７６１８２
【発明の概要】
【発明が解決しようとする課題】
【０００５】
この発明の基本的な課題は、パターンデータから簡単に編目単位のデータを作成できるようにすることにある。
この発明での追加の課題は、最適な成型ラインの選択を支援することにある。
この発明での他の追加の課題は、作成した編目単位のデータを、以降のデザインにフィードバックできるようにすることにある。
【課題を解決するための手段】
【０００６】
この発明のニットデザイン装置は、編物のパターンデータを編目単位のデータへ変換するニットデザイン装置において、
編物の各パーツの出来上がりサイズの入力を受け付け、ベクトルデータとして入力されたサイズを表す各パーツの第１のパターンデータを生成するための第１パターンデータ生成手段と、
各パーツの第１のパターンデータを、ベクトルデータとして編目数に比例したサイズを表す第２のパターンデータに変換するための第２パターンデータ生成手段と、
各パーツの第２のパターンデータを編目数に変換すると共に、パーツの側端部に成型ラインを発生させることにより、各パーツを編目単位で表すラスターデータを生成するためのラスターデータ生成手段、とを設けたことを特徴とする。【０００７】
この発明のニットデザイン方法は、ニットデザイン装置を用いて、編物のパターンデータを編目単位のデータへ変換する方法において、
前記ニットデザイン装置により、編物の各パーツの出来上がりサイズの入力を受け付け、ベクトルデータとして入力されたサイズを表す各パーツの第１のパターンデータを生成するためのステップと、
前記ニットデザイン装置により、各パーツの第１のパターンデータをベクトルデータとして編目数に比例したサイズを表す第２のパターンデータに変換するためのステップと、
前記ニットデザイン装置により、各パーツの第２のパターンデータを編目数に変換すると共に、パーツの側端部に成型ラインを発生させることにより、各パーツを編目単位で表すラスターデータを生成するためのステップ、とを設けたことを特徴とする。【０００８】
この発明のニットデザインプログラムは、ニットデザイン装置を用いて、編物のパターンデータを編目単位のデータへ変換するプログラムにおいて、
ニットデザイン装置に、
編物の各パーツの出来上がりサイズの入力を受け付け、ベクトルデータとして入力されたサイズを表す各パーツの第１のパターンデータを生成するためのステップと、
各パーツの第１のパターンデータをベクトルデータとして編目数に比例したサイズを表す第２のパターンデータに変換するためのステップと、
各パーツの第２のパターンデータを編目数に変換すると共に、パーツの側端部に成型ラインを発生させることにより、各パーツを編目単位で表すラスターデータを生成するためのステップ、とを実行させることを特徴とする。【０００９】
この発明では、最初に第１のパターンデータをベクトルデータとして生成する。このデータはパーツの出来上がりサイズ（指示寸法）を表現し、編目の縦横のサイズも編成後の仕上げ等での伸縮も考慮する必要はない。このように第１のパターンデータは、どのような形状のパーツが必要であるかを表現したデータで、編地の伸縮及び変形等のニット特有の問題を考慮する必要はない。次に第１のパターンデータを、ベクトルデータとして編目数に比例したサイズを表す第２のパターンデータに変換する。このようにして、指示寸法通りのサイズにならないという問題を、第１のパターンデータを第２のパターンデータに変換する過程で解決する。そして第２のパターンデータを、パーツの編目数に変換し、パーツの側端部に成型ラインを発生させることにより、パーツを編目単位で表すラスターデータ（編目単位のデータ）に変換する。そしてニットデザイン装置で、もしくは他のデザインシステムで、ラスターデータを編成データに変換する。この結果、デザイナーが第１のパターンデータをデザインすると、簡単にラスターデータに変換でき、しかも規則的でかつ編みやすい成型ラインを発生できる。【００１０】
好ましくは、前記ラスターデータを変換手段により、編物の編成データに変換する。
好ましくは、モニターに前記ラスターデータと前記第２のパターンデータとを重ねて表示した状態で、前記ラスターデータの編集を受け付けることにより、前記成型ラインを変更するための編集手段をさらに設ける。このようにすると、第２のパターンデータに対応する成型ラインが多数ある場合に、最適な成型ラインを容易に選択できる。【００１１】
また好ましくは、前記ラスターデータを前記第２のパターンデータへ逆変換するための逆変換手段をさらに設ける。このようにすると、市場での評価の高いデザインに対する第２のパターンデータが得られ、以降のデザインの参考になり、また第２のパターンデータからどのような成型ラインを発生させるかのデータとして用いることができる。
【図面の簡単な説明】
【００１２】
【図１】実施例のニットデザイン装置のブロック図
【図２】実施例での布帛用のパターンデータから編成データへの変換を示すフローチャート
【図３】実施例での編成データから、ニット用のパターンデータへの変換を示すフローチャート
【図４】布帛用のパターンデータを示す図
【図５】図４のデータを変換したニット用のパターンデータを示す図
【図６】ニット用のパターンデータを示す図
【図７】ニット用のパターンデータと、成型ラインの候補とを重ねて示す図
【図８】ニット用のパターンデータと成型ラインとを重ねて示す図
【図９】実施例と従来例とでのデザイン結果を示す図
【図１０】編成データあるいはラスターデータをパターンデータに変換し、元のニット用のパターンデータと重ねて示した図
【発明を実施するための形態】
【００１３】
以下に、発明を実施するための最適実施例を示す。この発明の範囲は、特許請求の範囲の記載に、周知技術による変更の可能性を加味して解釈されるべきである。
【実施例】
【００１４】
図１〜図１０に、実施例のニットデザイン装置２とニットデザイン方法及びニットデザインプログラムを示す。図１において、４はバス、６はＣＰＵ、８，１０はメモリで、メモリ８はニットデザインプログラムなどのプログラムを記憶し、メモリ１０はデザインデータ及び編成データなどのデータを記憶する。１２，１６はインターフェースで、１２は外部記憶とのインターフェースで、ＣＤ−ＲＯＭ，ＵＳＢメモリなどの外部記憶１４との入出力を行い、ネットワークインターフェース１６はインターネットなどとの接続を行う。外部記憶１４にニットデザインプログラムを記憶させ、メモリ８に記憶させる。【００１５】
１８はカラーモニタで、２０はマウス、２２はキーボード、２４はカラープリンタである。ニットデザイン装置２はコンピュータであり、バス４〜カラープリンタ２４までを用いて、布帛用のパターンデータ作成部２６〜逆変換部３８を実現する。布帛用のパターンデータ作成部２６は編物の各パーツ、例えば前身頃と後身頃，袖などのパーツの、パターンデータをベクトルデータとして作成する。例えばデザイナーがキーボード２２などからパーツの指示寸法とパーツの属性、タイプ等を入力することにより、布帛用のパターンデータ（第１のパターンデータ）が作成される。パーツの属性には、前身頃，後身頃，袖などのパーツのタイプと、アームホール，ネックホール，裾ゴムなど、パーツ内の部位等がある。布帛用のパターンデータは各パーツを例えば実寸で表している。【００１６】
布帛用のパターンデータの作成と例えば並行して、用いる糸の種類及び太さ等の糸の素材，横編機のゲージ，仕上げの種類などのデータを入力する。なおこれらのデータは、布帛用のパターンデータをニット用のパターンデータ（第２のパターンデータ）に変換する際に入力しても良い。【００１７】
ニット用のパターンデータ作成部２８は、布帛用のパターンデータを編目の数を表すベクトルデータであるニット用のパターンデータ（第２のパターンデータ）に変換する。この変換にはマクロ記憶部３０を用い、マクロ記憶部３０は例えば編成後の仕上げ加工による伸縮率（縮率）及び部位毎の変形率などを記憶する。縮率は素材と仕上げの種類の組み合わせ毎に記憶しても、単純に仕上げの種類毎に記憶してもよい。部位毎の変形として、ネックホールは袖に引かれて横に伸びやすいなどのことがあり、パーツの種類毎の変形として袖などの細長い編地は伸びやすいなどのことがある。これらに対する補正率をマクロ記憶部３０が記憶する。なおパーツのどの部分がネックホールであるかなどは、パーツの属性として記載されている。【００１８】
好ましくは、１つの標準的な指示寸法に対し、編物のサイズ毎並びに体型毎の多数のデータを発生させる。編物のサイズを変える場合、標準のパターンデータを相似変形するだけでは不充分で、パーツの丈と幅とをどのように変更するかのデータを、マクロ記憶部３０が記憶する。また体型に応じ、どのパーツのどのサイズをどのような比率で変更するかのデータも、マクロ記憶部３０が記憶する。そしてニット用のパターンデータ作成部２８は、布帛用のパターンデータでの属性とサイズ（指示寸法）とを用い、マクロ記憶部３０が記憶するマクロにより、布帛用のパターンデータをニット用のパターンデータに変換する。なおマクロ記憶部３０に代えて、データベースを用いてもよい。【００１９】
ラスターデータ生成部３２は、ニット用のパターンデータを丈方向と幅方向の編目数に変換し、かつパーツの側端部に成型ラインを発生させる。編目数の変換のため、例えばキーボード２２等から、任意の段階で、編目の縦横のサイズ、あるいは単位丈当たり及び単位幅当たりの編目数を入力する。編目の縦横のサイズをニット用のパターンデータに当てはめると、パーツの編目数、即ち編目が横に並んだ各コースでの編目の数と、丈方向のコースの数が定まる。そして編目の数が決まると、何コースで何目編目を増やすあるいは減らすかが定まる。成型ラインは増やし及び減らしのラインで、パーツの内部で増やし及び減らしを行う場合と、パーツの端部で減らし及び増やしを行う場合とがある。パーツ内部で増やし及び減らしを行った場合、その箇所にファッションマークが表れる。パーツの内側で増やし及び減らしを行うか、端部で増やし及び減らしを行うかは、キーボード２２等から任意の段階で入力する。ラスターデータ生成部３２は、ニット用のパターンデータでの側端部の形状（一般に直線状）に応じた成型ラインを発生させる。成型ラインは短い線分をつないだもので、外観は曲線状である。そしてファッションマークが規則的に表れ、横編機での編成が容易で、さらにパーツのシルエットが美しい成型ラインを、ラスターデータ生成部３２で、経験に基づくルールに従い、発生させる。編目単位でパーツの形状を表すデータがラスターデータである。【００２０】
成型ラインの候補は一般に複数あり、候補が１個のみの場合でも、最初から最適の候補が発生しているとは限らない。合成部３４は、ラスターデータとニット用のパターンデータとを重ねて、カラーモニタ１８に表示する。編集部３５は、この状態からマウス２０あるいはキーボード２２などにより、成型ラインをデザイナーが編集できるようにする。【００２１】
３６は編成データ作成部で、ラスターデータを編成データに変換する。編成データは、横編機を直接駆動できるデータ(狭義の編成データ)の他に、編目の種類を表し、ニットデザイン装置２等で編集及び狭義の編成データへの変換ができるデータ(広義の編成データ)を含む。逆変換部３８は編成データもしくはその基礎となるラスターデータを、ニット用のパターンデータに逆変換する。そして例えばデザイナーの入力に従い、ニット用のパターンデータとラスターデータとの組み合わせを、マクロ記憶部３０などに追加する。【００２２】
図２，図３に、布帛用のパターンデータからラスターデータへの変換を示す。図２のステップ１で、布帛用のパターンデータを入力する。このデータはベクトルデータで、パーツのサイズを表し、デザイナーがパーツ各部の指示寸法とパーツの属性、パーツのタイプ、パーツのサイズ、素材、編機のゲージなどを入力することにより、布帛用のパターンデータ作成部２６で生成される。このデータを、部位毎あるいは部位と編み組織毎の縮率、及びネックホール、袖等での編成後の変形など加味して変換することにより、ニット用のパターンデータが得られる（ステップ２）。ニット用のパターンデータはベクトルデータで、編目数に比例したサイズを表す。なおサイズや体型毎にデザインデータを複数に展開する場合、これらに応じた丈と幅への補正を加味して、複数のニット用のパターンデータへと展開する。これらの処理にはマクロ記憶部３０に記憶したマクロを用い、ニット用のパターンデータ作成部２８で実行する。【００２３】
編み丈当たりの目数及び編み幅当たりの目数、もしくは編目の縦横のサイズを入力する。さらにラスターデータ生成部３２で、ニット用のパターンデータを丈方向と幅方向の編目の数に変換し、ニット用のパターンデータの外形を成型ラインで近似する。このようにしてラスターデータ生成部３２でラスターデータを発生させる（ステップ３）。このデータは編目を単位とするデータで、ステップ４でラスターデータとニット用のパターンデータとを重ねて表示し、デザイナーがラスターデータを修正できるようにする。【００２４】
インターシャやジャガードなどの追加のデザインデータがある場合、これらのデータを追加する（ステップ５）。そしてラスターデータを編成データに変換する（ステップ６）。以上のようにして得られた編成データに従い、パーツを個別にもしくはパーツを互いに接合するように編成し、仕上げを行うと編物が得られる。【００２５】
市場で好評であったデザインを以降のデザイン作業にフィードバックできると便利である。そこで図３のステップ７で、好評なデザインの編成データをラスターデータに変換する。なおラスターデータが保存されている場合、ステップ７は省略しても良い。ステップ８でラスターデータをニット用のパターンデータに変換する。そしてカラーモニタなどに、元のニット用のパターンデータと例えば重ねて表示する（ステップ９）。このようにすると、ニット用のパターンデータとしてどのようなものが良いかが分かり、以降のデザインの参考になる。またマクロ記憶部３０あるいはラスターデータ生成部３２で、ニット用のパターンデータの好ましい例として記憶することにより（ステップ１０）、ニット用のパターンデータに変換する際の参考にしたり、あるいはラスターデータに変換する際の参考にすることができる。【００２６】
図４〜図９に、デザインの過程を示す。図４は布帛用のパターンデータ４０を示し、４１は前身頃，４２は後身頃で、それぞれ身頃の半身を示しており、４３は袖である。このデータを図５のニット用のパターンデータ５０に変換し、５１は前身頃，５２は後身頃，５３は袖である。図５のニット用のパターンデータ５０では、身頃の形状、アームホールの形状、ネックホールの形状等が変更されている。【００２７】
図６はニット用のパターンデータの一部を示す。ニット用のパターンデータ６０はベクトルを順番に接続することにより構成されている。なお図の目盛りは編目に対応する大きさを表している。【００２８】
図７は、ニット用のパターンデータ７０からの成型ライン７１，７２の発生を示し、ここでは２つの成型ライン７１，７２が候補として表示されている。デザイナーは、表示された成型ラインから好ましいものを選択し、編集する。【００２９】
図８の左側の表示８０は編目を表すグリッドを省略した表示で、右側の表示８２では編目を表すグリッドが付加されている。８４はニット用のパターンデータで、直線的なデータであり、これに対する成型ラインの候補が８６である。パターンデータ８４は一般に直線的なデータであるが、その通りに増やしあるいは減らしを横編機で実行できるわけではない。パターンデータは任意の傾斜を持つことができるが、成型ラインで用いることができる傾斜は限られている。このため成型ライン８６はパターンデータ８４と微妙に異なっている。そして減らしあるいは減らしが規則的にかつ編みやすい方法で行われ、編成が効率的で、しかも美しいシルエットとなるように、ラスターデータ生成部３２が記憶する経験則に従い、成型ライン８６を発生させる。デザイナーは図８の表示８０，８２から、成型ライン８６を編集できる。【００３０】
図９はデザイン例を示し、同じニット用のパターンデータに対し、ニット技術者が手作業で成型ラインを発生させた例を左側に、ラスターデータ生成部３２により自動的に成型ラインを発生させた例を右側に示す。実施例では、より滑らかでギザギザの少ない成型ラインが得られている。【００３１】
市場での評価の高い編物を、今後のデザインの参考にできると便利である。市場での評価が高かった編物に対し、編成データをラスターデータに逆変換し、ラスターデータをニット用のパターンデータに逆変換する。図１０の１００は元々のニット用のパターンデータで、１０２はラスターデータから逆変換したニット用のパターンデータである。するとパターンデータ１００ではなく、パターンデータ１０２のように当初からデザインすることが好ましいことが分かる。またニット用のパターンデータからラスターデータへの変換の途中で、パターンデータ１０２のように一旦変換した後に、ラスターデータへ変換することが好ましいことが分かる。そこでこのようなルールを、マクロ記憶部３０またはラスターデータ生成部３２で記憶する。【００３２】
実施例では以下の効果が得られる。
(1)  ニット固有の伸縮、部位毎の変形などの属性を考慮せずに、布帛用のパターンデータとして、パーツをデザインできる。パーツのデザインが得られると、ニット用のパターンデータを経由して、ラスターデータを発生させることができる。
(2)  ラスターデータへの変換では、ニット用のパターンデータと重ねて表示した状態で、成型ラインを編集できる。
(3)  市場の評価が高かったデザインに対し、ニット用のパターンデータとしてどのようなものが好ましいのかの事例を蓄積できる。
【符号の説明】
【００３３】
２  ニットデザイン装置    ４  バス    ６  ＣＰＵ
８，１０  メモリ    １２，１６  インターフェース    １４  外部記憶
１８  カラーモニタ    ２０  マウス    ２２  キーボード
２４  カラープリンタ    ２６  布帛用のパターンデータ作成部
２８  ニット用のパターンデータ作成部    ３０  マクロ記憶部
３２  ラスターデータ生成部    ３４  合成部    ３５  編集部
３６  編成データ作成部    ３８  逆変換部
４０  布帛用のパターンデータ    ４１  前身頃    ４２  後身頃
４３  袖    ５０，６０  ニット用のパターンデータ    ５１  前身頃
５２  後身頃    ５３  袖    ７０  ニット用のパターンデータ
７１，７２  成型ライン    ８０，８２  表示
８４，１００，１０２  ニット用のパターンデータ    ８６  成型ライン
【図１】
0005632389.tif 000002
【図２】
0005632389.tif 000003
【図３】
0005632389.tif 000004
【図４】
0005632389.tif 000005
【図５】
0005632389.tif 000006
【図６】
0005632389.tif 000007
【図７】
0005632389.tif 000008
【図８】
0005632389.tif 000009
【図１０】
0005632389.tif 000010
【図９】
0005632389.tif 000011